(57)【要約】【課題】外部電源で充電される車両駆動用蓄電装置を優先して補機バッテリを車両駆動用蓄電装置およびオルタネータにより充電する構成のハイブリッド自動車において、燃料節約効果を向上するとともに、車両駆動用蓄電装置が過放電状態にならないようにする。【解決手段】車両駆動用蓄電装置１０の蓄電量が所定量以上であれば、切り替え部１６を車両駆動用蓄電装置１０側に保持し、車両駆動用蓄電装置１０の蓄電エネルギで補機バッテリ７を充電し、このとき、オルタネータカットの状態に制御してオルタネータ３が車両駆動用蓄電装置１０の負荷にならないようにする。また、車両駆動用蓄電装置１０の蓄電量が所定量未満に減少すれば、切り替え部１６をオルタネータ３側に切り替え、補機バッテリ７の充電手段を車両駆動用蓄電装置１０からオルタネータ３に切り替え、車両駆動用蓄電装置１０の蓄電量のそれ以上の減少を防止する。【選択図】図１
2008302852.tif 000002
【特許請求の範囲】
【請求項１】
エンジンと、
前記エンジンに接離自在に接続されてエンジン出力で発電するオルタネータと、
補機負荷の電源を形成する充電可能な補機バッテリと、
車両駆動用のモータと、
前記モータの電源を形成する充電可能な車両駆動用蓄電装置と、
外部電源に着脱自在に接続されて前記車両駆動用蓄電装置を充電する充電器と、
前記補機バッテリの充電手段を前記車両駆動用蓄電装置または前記オルタネータに切り替える切り替え部と、
前記車両駆動用蓄電装置の蓄電量を監視する蓄電量監視手段と、
前記蓄電量監視手段の監視出力にしたがって、前記切り替え部の切り替えを制御するとともに、前記エンジンと前記オルタネータとを接続または切り離しの状態に制御する制御手段とを備え、
前記制御手段は、前記車両駆動用蓄電装置の蓄電量が所定量以上の場合、前記補機バッテリの充電手段を前記車両駆動用蓄電装置に保持し、かつ、前記エンジンと前記オルタネータとを切り離しの状態に制御し、前記車両駆動用蓄電装置の蓄電量が前記所定量未満に減少した場合、前記補機バッテリの充電手段を前記オルタネータに切り替え、かつ、前記補機バッテリの充電に対して前記エンジンと前記オルタネータとを接続の状態に制御することを特徴とするハイブリッド自動車の制御装置。
【請求項２】
エンジンと、
前記エンジンに接離自在に接続されてエンジン出力で発電するオルタネータと、
補機負荷の電源を形成する充電可能な補機バッテリと、
車両駆動用のモータと、
前記モータの電源を形成する充電可能な車両駆動用蓄電装置と、
外部電源に着脱自在に接続されて前記車両駆動用蓄電装置を充電する充電器と、
前記補機バッテリの充電手段を前記車両駆動用蓄電装置または前記オルタネータに切り替える切り替え部と、
前記車両駆動用蓄電装置の蓄電量を監視する車両駆動側蓄電量監視手段と、
前記補機バッテリの蓄電量を監視する補機側蓄電量監視手段と、
前記両蓄電量監視手段の監視出力にしたがって、前記切り替え部の切り替えを制御するとともに、前記エンジンと前記オルタネータとを接続または切り離しの状態に制御する制御手段とを備え、
前記制御手段は、前記車両駆動用蓄電装置の蓄電量が所定量以上の場合、前記補機バッテリの充電手段を前記車両駆動用蓄電装置に保持し、かつ、前記エンジンと前記オルタネータとを切り離しの状態に制御し、前記車両駆動用蓄電装置の蓄電量が前記所定量未満に減少した場合、前記補機バッテリの充電手段を前記オルタネータに切り替え、前記補機側蓄電量監視手段の監視に基づき前記補機バッテリの蓄電量が所定量以下になってから前記補機バッテリの充電に対して前記エンジンと前記オルタネータとを接続した状態に制御することを特徴とするハイブリッド自動車の制御装置。
【発明の詳細な説明】
【技術分野】
【０００１】
この発明は、車両駆動手段としてエンジンとモータとを備えたハイブリッド自動車の制御装置に関し、詳しくは、そのハイブリッド自動車が搭載している補機バッテリの充電の制御に関する。
【背景技術】
【０００２】
近年、この種のハイブリッド自動車においては、いわゆるプラグイン・ハイブリッド方式のものが注目されている。
【０００３】
このプラグイン・ハイブリッド方式のハイブリッド自動車においては、車両駆動用のモータの電源としてのバッテリ（２次電池）、電気二重層コンデンサ（キャパシタ）等の充電可能な車両駆動用蓄電装置を、安価な商用交流電源等の外部電源で充電できることから経済的である。
【０００４】
そして、車両駆動用蓄電装置の蓄電容量の設定等に基づき、例えば、日常の買い物や送り迎え等の近距離移動はモータ出力で賄い、このモータ出力では不足する遠出をしたようなときにのみ不足分をエンジン出力で補うようにして、燃費を良くし、経済的効果を一層高めるとともに環境にやさしい構成とすることが考えられている。
【０００５】
ところで、この種のハイブリッド自動車も、ヘッドランプやエアコン等の補機類は、従来のガソリン車と同様、鉛電池等からなる補機バッテリで駆動される。
【０００６】
そして、補機バッテリは、一般に、エンジンに接離自在に接続されるオルタネータの回生制動時等の発電出力によって充電されるが、オルタネータがエンジンに常時接続されていると、燃費の悪化を招来する。
【０００７】
そこで、補機バッテリの充電電圧が所定値以上であれば、オルタネータをエンジンから切り離してエンジン出力のオルタネータへの伝達を断ち、オルタネータカットの状態にすることが提案されている（例えば、特許文献１参照）。
【０００８】
一方、電気自動車においては、車両駆動用のモータの電源となる主バッテリをコンセントを介した外部電源で充電するとともに、前記主バッテリにより補機バッテリを充電することが行なわれている（例えば、特許文献２参照）。
【特許文献１】特許第２９４６７３８号公報（［特許請求の範囲］、［発明を解決するための手段］、［発明の効果］、図１等）
【特許文献２】特開昭６１−７６０３４号公報（［実施例］、図２等）
【発明の開示】
【発明が解決しようとする課題】
【０００９】
前記プラグイン・ハイブリッド方式のもを含むこの種のハイブリッド自動車においても、搭載している補機バッテリをどのように充電するかは、燃料節約等の面から重要である。
【００１０】
そして、この種のハイブリッド自動車において、前記特許文献１に記載されているように、補機バッテリの充電電圧が所定値以上であればオルタネータカットの状態にして、オルタネータ出力では補機バッテリを充電しないようにする構成と、上記特許文献２に記載されているように、外部電源で充電される主バッテリによって補機バッテリを充電する構成とを組み合わせ、補機バッテリの充電電圧が所定値以上であれば、オルタネータカットの状態で主バッテリにより補機バッテリを充電し、補機バッテリの充電電圧が所定値未満に減少すれば、エンジンにオルタネータを接続してオルタネータの発電出力で補機バッテリを充電し、安価な外部電源で充電される主バッテリによる充電を優先して主バッテリとオルタネータとで補機バッテリを充電することが考えられる。
【００１１】
この場合、補機バッテリの充電電圧が所定値以上であれば、オルタネータカットの状態で主バッテリにより補機バッテリを充電し、この間、主バッテリに対してオルタネータは負荷とならない。そのため、前記主バッテリの蓄電エネルギの浪費が防止され、その結果、例えばプラグイン・ハイブリッド方式であれば、主バッテリの蓄積エネルギによるモータ走行可能な時間（または距離）が長くなり、燃料節約効果が高くなる。
【００１２】
しかしながら、上記した組み合わせ構成の場合、補機バッテリの充電電圧の監視に基づき、補機バッテリの充電電圧によってオルタネータカットが選択的に行なわれるのであって、主バッテリによる補機バッテリの充電はそれとは無関係に行なわれる。
【００１３】
そのため、せっかくオルタネータカットを行なうことで燃料を節約しても、補機バッテリの充電電圧が所定値未満に減少したときには、オルタネータが主バッテリの負荷となり、その分、主バッテリの蓄電量が減少してモータ走行可能な時間（または距離）が減る。そのため、オルタネータカットによる燃料節約効果が薄らぎ、結局、燃料節約になり難い。
【００１４】
その上、前記主バッテリ等の充電可能な車両駆動用蓄電装置は、完全放電を回避等するため、最低限度の蓄電量は必ず残しておく必要があるが、上記した組み合わせ構成の場合、補機バッテリの充電電圧に注目して補機バッテリの充電電圧が所定値以上になるよう主バッテリから補機バッテリへ給電するため、場合によっては車両駆動用蓄電装置の蓄電量が過放電状態になってしまうおそれがある。
【００１５】
本発明は、外部電源で充電される車両駆動用蓄電装置を優先して補機バッテリを車両駆動用蓄電装置およびオルタネータにより充電する構成のハイブリッド自動車において、燃料節約効果を向上するとともに、車両駆動用蓄電装置が過放電状態にならないようにすることを目的とする。
【課題を解決するための手段】
【００１６】
上記した目的を達成するために、本発明のハイブリッド自動車の制御装置は、エンジンと、前記エンジンに接離自在に接続されてエンジン出力で発電するオルタネータと、補機負荷の電源を形成する充電可能な補機バッテリと、車両駆動用のモータと、前記モータの電源を形成する充電可能な車両駆動用蓄電装置と、外部電源に着脱自在に接続されて前記車両駆動用蓄電装置を充電する充電器と、前記補機バッテリの充電手段を前記車両駆動用蓄電装置または前記オルタネータに切り替える切り替え部と、前記車両駆動用蓄電装置の蓄電量を監視する蓄電量監視手段と、前記蓄電量監視手段の監視出力にしたがって、前記切り替え部の切り替えを制御するとともに、前記エンジンと前記オルタネータとを接続または切り離しの状態に制御する制御手段とを備え、前記制御手段は、前記車両駆動用蓄電装置の蓄電量が所定量以上の場合、前記補機バッテリの充電手段を前記車両駆動用蓄電装置に保持し、かつ、前記エンジンと前記オルタネータとを切り離しの状態に制御し、前記車両駆動用蓄電装置の蓄電量が前記所定量未満に減少した場合、前記補機バッテリの充電手段を前記オルタネータに切り替え、かつ、前記補機バッテリの充電に対して前記エンジンと前記オルタネータとを接続の状態に制御することを特徴としている（請求項１）。
【００１７】
また、本発明のハイブリッド自動車の制御装置は、エンジンと、前記エンジンに接離自在に接続されてエンジン出力で発電するオルタネータと、補機負荷の電源を形成する充電可能な補機バッテリと、車両駆動用のモータと、前記モータの電源を形成する充電可能な車両駆動用蓄電装置と、外部電源に着脱自在に接続されて前記車両駆動用蓄電装置を充電する充電器と、前記補機バッテリの充電手段を前記車両駆動用蓄電装置または前記オルタネータに切り替える切り替え部と、前記車両駆動用蓄電装置の蓄電量を監視する車両駆動側蓄電量監視手段と、前記補機バッテリの蓄電量を監視する補機側蓄電量監視手段と、前記両蓄電量監視手段の監視出力にしたがって、前記切り替え部の切り替えを制御するとともに、前記エンジンと前記オルタネータとを接続または切り離しの状態に制御する制御手段とを備え、前記制御手段は、前記車両駆動用蓄電装置の蓄電量が所定量以上の場合、前記補機バッテリの充電手段を前記車両駆動用蓄電装置に保持し、かつ、前記エンジンと前記オルタネータとを切り離しの状態に制御し、前記車両駆動用蓄電装置の蓄電量が前記所定量未満に減少した場合、前記補機バッテリの充電手段を前記オルタネータに切り替え、前記補機側蓄電量監視手段の監視に基づき前記補機バッテリの蓄電量が所定量以下になってから前記補機バッテリの充電に対して前記エンジンと前記オルタネータとを接続した状態に制御することを特徴としている（請求項２）。
【発明の効果】
【００１８】
請求項１の発明によれば、蓄電量監視手段により、補機バッテリの蓄電量ではなく、車両駆動用蓄電装置の蓄電量を監視する。
【００１９】
そして、車両駆動用蓄電装置の蓄電量が所定量以上であれば、制御手段により、車両駆動用蓄電装置の蓄電エネルギで補機バッテリを充電し、このとき、エンジンとオルタネータとを切り離してオルタネータカットの状態に制御し、オルタネータが車両駆動用蓄電装置の負荷にならないようにすることができる。
【００２０】
また、車両駆動用蓄電装置の蓄電量が所定量未満に減少すれば、補機バッテリの充電手段を車両駆動用蓄電装置からオルタネータに切り替え、車両駆動用蓄電装置の蓄電量のそれ以上の減少を防止することができる。そして、補機バッテリの充電に対してエンジンとオルタネータとを接続の状態に制御するため、回生制動時等のオルタネータ出力で補機バッテリを充電することができる。
【００２１】
したがって、外部電源で充電される車両駆動用蓄電装置を優先して補機バッテリを車両駆動用蓄電装置およびオルタネータにより充電する構成のハイブリッド自動車において、補機バッテリの蓄電量ではなく、車両駆動用蓄電装置の蓄電量を監視し、車両駆動用蓄電装置の蓄電量に応じて補機バッテリの充電手段を車両駆動用蓄電装置またはオルタネータに切り替える構成としたため、車両駆動用蓄電装置の蓄電量が所定量に減少するまではオルタネータカットに制御して補機バッテリを車両駆動用蓄電装置で充電し、燃料節約効果を向上することができるとともに、車両駆動用蓄電装置の蓄電量が所定量に減少すると、補機バッテリをオルタネータ出力で充電し、車両駆動用蓄電装置が不用意に過放電の状態にならないようにすることができる。
【００２２】
そして、車両駆動用蓄電装置の蓄電容量の設定等に基づき、例えば、日常の買い物や送り迎え等の近距離移動については車両駆動用蓄電装置の蓄電量が所定量にならない限り、走行および補機バッテリの充電をモータ出力で賄い、全くオルタネータの駆動やエンジン走行を不要にすることが可能であり、前記モータ出力では不足する遠出をしたようなときにのみ不足分をエンジン出力で補うようにして、燃費を向上することができる。
【００２３】
しかも、外部電源で充電できる車両駆動用蓄電装置の蓄電エネルギを、車両走行の動力源および補機負荷の電源に用いることができるので、エンジンの駆動力を用いる機会を減らして燃料節約効果を極めて高くすることができるとともに、環境にやさしい構成にすることができる。
【００２４】
さらに、仮に補機バッテリの蓄電量を監視してオルタネータカットをするのでは、車両駆動用蓄電装置の蓄電量が余っているにもかかわらず、オルタネータが駆動される事態も生じるが、本発明の場合、車両駆動用蓄電装置の蓄電量に基づき、所定量まで（換言すれば限界量まで）車両駆動用蓄電装置の蓄電エネルギを使うことができるため、安価な外部電源で充電できる車両駆動用蓄電装置の蓄電エネルギを余すことなく使用してオルタネータカットの時間を極力延ばすことができる。なお、車両駆動用蓄電装置の蓄電エネルギを極力有効利用すればよく、補機バッテリの充電に際してエンジンの燃費等を考慮する必要がなく、その分制御が簡単になる等の利点もある。
【００２５】
請求項２の発明によれば、車両駆動側蓄電量監視手段により車両駆動用蓄電装置の蓄電量を監視するだけでなく、補機側蓄電量監視手段により補機バッテリの蓄電量を監視する。
【００２６】
そして、車両駆動用蓄電装置の蓄電量が所定量以上であれば、請求項１の発明と同様、制御手段により、車両駆動用蓄電装置の蓄電エネルギで補機バッテリを充電し、このとき、エンジンとオルタネータとを切り離し、オルタネータカットの状態に制御し、オルタネータが車両駆動用蓄電装置の負荷にならないようにすることができる。
【００２７】
また、車両駆動用蓄電装置の蓄電量が所定量未満に減少すれば、補機バッテリの充電手段を車両駆動用蓄電装置からオルタネータに切り替え、車両駆動用蓄電装置の蓄電量のそれ以上の減少を防止することができる。このとき、請求項１の発明とは異なり、補機側蓄電量監視手段の補機バッテリの蓄電量の監視に基づき、補機バッテリの蓄電量が所定量に減少してから、補機バッテリの充電に対してエンジンとオルタネータとを接続の状態に制御してオルタネータカットの状態から復帰し、回生制動時等のオルタネータ出力で車両駆動用蓄電装置を充電することができる。
【００２８】
したがって、オルタネータカットからの復帰を遅らせてエンジン出力に基づくオルタネータ出力での補機バッテリの充電を抑制してエンジンの燃料消費を極力少なくし、請求項１の発明より一層燃料節約効果を高くすることができ、燃料節約効果を一層高くすることができるとともに、車両駆動用蓄電装置が不用意に過放電の状態にならないようにして補機バッテリを充電することができる。
【発明を実施するための最良の形態】
【００２９】
つぎに、本発明をより詳細に説明するため、実施形態について、図１〜図４にしたがって詳述する。
【００３０】
（一実施形態）
まず、請求項１に対応する一実施形態について図１〜図３を参照して説明する。
【００３１】
図１は本発明が適用されるハイブリッド自動車１の要部のブロック図、図２はハイブリッド自動車１の走行状態と補機バッテリの充放電との関係の説明図、図３は動作説明用のフローチャートである。
【００３２】
図１において、２はエンジン、３はエンジン２の出力（エンジン出力）により発電するオルタネータであり、その電機子軸がプーリー・ベルト４を介してエンジン２の出力軸に接離自在に接続されている。
【００３３】
５はハイブリッド自動車１の全体動作を制御するマイクロコンピュータの車両制御ＥＣＵ、６は車両制御ＥＣＵ５のエンジン制御指令に基づいて動作するマイクロコンピュータのエンジン制御ＥＣＵであり、エンジン制御、オルタネータ制御によってエンジン２、オルタネータ３の動作（プーリー・ベルト４の移動を含む）を制御する。
【００３４】
７はヘッドライトやエアコン等の補機負荷８の電源を形成する充電可能な補機バッテリであり、例えば１２Ｖの鉛電池からなり、負極（−）は車体にアースされている。
【００３５】
９は車両駆動用のモータであり、例えばブラシ付またはブラシレスの同期モータからなる。１０はモータ９の電源を形成する充電可能な車両駆動用蓄電装置であり、例えばニッケル水素電池、リチウム・イオン電池のような充電可能なバッテリ（２次電池）または電気二重層コンデンサ（キャパシタ）等からなり、負極（−）は車体にアースされている。
【００３６】
１１は車両駆動用蓄電装置１０とモータ９との間に設けられたインバータであり、車両制御ＥＣＵ５の駆動制御によりインバータ動作（通常）またはコンバータ動作（回生）に切り替わり、インバータ動作時は車両駆動用蓄電装置１０の蓄電エネルギを例えば３相の駆動パルスに変換してモータ９に給電し、コンバータ動作時はモータ９の回生発電出力を直流に変換して車両駆動用蓄電装置１０に給電する。
【００３７】
１２は車両駆動用蓄電装置１０の外部充電を制御するマイクロコンピュータの蓄電装置制御ＥＣＵであり、本発明の蓄電量監視手段を形成し、車両駆動用蓄電装置１０の電圧および電流を検出して車両駆動用蓄電装置１０の時々刻々の蓄電量を監視し、監視結果をＣＡＮ等の車載ＬＡＮを介して車両制御ＥＣＵ５に送る。また、蓄電装置制御ＥＣＵ１２は、車両駆動用蓄電装置１０の外部充電指令に基づき、後述の充電器１３の直流出力を制御して車両駆動用蓄電装置１０を外部充電する。
【００３８】
１３は例えば１００Ｖ交流を規定電圧の直流に変換して出力する充電器、１４は充電器１３の交流入力側のコードであり、常時は巻回等されてハイブリッド自動車１に収容され、外部充電時にのみハイブリッド自動車１から引き出される。１５はコード１４の先端の電源プラグであり、外部充電時に例えば住宅壁面等に設けられた１００Ｖの商用電源コンセントに接離自在に接続される。
【００３９】
１６は補機バッテリ７の充電手段を車両駆動用蓄電装置１０またはオルタネータ３に切り替える切り替え部であり、例えば２接点切り替えの電子アナログスイッチからなり、車両制御ＥＣＵ５の補機バッテリ充電制御により、補機バッテリ７の陽極（＋）をオルタネータ３の出力または車両駆動用蓄電装置１０の陽極（＋）に切り替えて接続する。
【００４０】
そして、車両制御ＥＣＵ５の補機バッテリ充電制御機能およびエンジン制御ＥＣＵ６が本発明の制御手段を形成し、この制御手段は、蓄電装置ＥＣＵ１２の蓄電量監視出力にしたがって切り替え部１６の切り替えを制御するとともに、エンジン２とオルタネータ３とを接続または切り離しの状態に制御する。
【００４１】
すなわち、車両駆動用蓄電装置１０の蓄電量が所定量（蓄電装置の放電時特性によって異なるが例えば満充電の３０％〜４０％）Ｒａを基準にして、（ａ）車両駆動用蓄電装置１０の蓄電量が所定量Ｒａ以上の場合は、切り替え部１６を車両駆動用蓄電装置１０側の接点１６ａに切り替えて補機バッテリ７の充電手段を車両駆動用蓄電装置１０に保持し、かつ、プーリー・ベルト４を切り離し側に移動してエンジン２とオルタネータ３とを切り離しの状態（オルタネータカット）に制御する。（ｂ）車両駆動用蓄電装置１０の蓄電量が所定量Ｒａ未満に減少すれば、切り替え部１６をオルタネータ３側の接点１６ｂに切り替えて補機バッテリ７の充電手段をオルタネータ３に切り替え、かつ、補機バッテリ７の充電に対してエンジン２とオルタネータ３とを接続の状態に復帰制御する。具体的には、例えばアクセルペダルから足が離れる制動操作に連動してプーリー・ベルト４を接続側に移動し、エンジン２とオルタネータ３とを接続の状態に制御する。
【００４２】
上記のように構成されたハイブリッド自動車１は、プラグイン・ハイブリッド方式であり、帰宅した際等に住宅壁面等に設けられた１００Ｖの商用電源コンセントに電源プラグ１５を差し込み、安価な１００Ｖの商用交流電源により充電器１３を介して車両駆動用蓄電装置１０を充電することにより、例えば、日常の買い物や送り迎え等の近距離移動はモータ３の出力（モータ出力）で走行し、モータ出力では不足する遠出をしたようなときにのみ不足分をエンジン出力で賄って走行することができる。
【００４３】
すなわち、近距離移動の際は、車両駆動用蓄電装置１０の蓄電エネルギに基づくインバータ１１の出力でモータ３を駆動し、モータ出力を駆動輪に伝えて走行する。また、遠出をしたようなときには、まず、モータ出力で走行し、車両駆動用蓄電装置１０の蓄電量が残しておくべき最低量、例えば満充電の３０％〜４０％の所定量Ｒａに減少すると、その後はエンジン出力で走行する。
【００４４】
つぎに、補機バッテリ７の充電について説明する。
【００４５】
まず、車両駆動用蓄電装置１０の蓄電量が所定量Ｒａ以上であれば、切り替え部１６が車両駆動用蓄電装置１０側の接点１６ａに保持され、補機バッテリ７は車両駆動用蓄電装置１０から充電される。
【００４６】
ところで、ハイブリッド自動車１が例えば図２に示すように、ｔ１〜ｔ２は加速、ｔ２〜ｔ３は定速、ｔ３〜ｔ４は減速、ｔ４〜ｔ５は加速、ｔ５〜ｔ６は定速、ｔ６〜ｔ７は減速をして走行する場合、エンジン２にオルタネータ３が接続されていると、ｔ３〜ｔ４、ｔ６〜ｔ７は減速の回生制動による充電期間Ｔａ、Ｔｂであり、その発電出力で補機バッテリ７を充電することができる。
【００４７】
しかしながら、モータ走行中にそのような回生制動の発電出力で補機バッテリ７を充電すると、オルタネータ３も車両駆動用蓄電装置１０の負荷を構成し、その分、車両駆動用蓄電装置１０の蓄電エネルギの消費が多くなるため、車両駆動用蓄電装置１０の蓄電量が所定量Ｒａ以上の間、換言すれば、モータ走行中は、プーリー・ベルト４を切り離し側に移動してオルタネータ３をエンジン２から切り離し、オルタネータカットの状態に制御する。
【００４８】
そのため、車両駆動用蓄電装置１０の蓄電量が所定量Ｒａ以上ある場合は、外部電源で充電された車両駆動用蓄電装置１０の安価な蓄電エネルギにより補機バッテリ７が充電され、しかも、その間はオルタネータカットの状態に制御されて車両駆動用蓄電装置１０の蓄電エネルギの浪費が防止され、モータ走行の時間（または距離）を極力長くしてエンジン２の駆動を抑制し、燃料節約効果を向上することができる。
【００４９】
つぎに、モータ走行によって車両駆動用蓄電装置１０の蓄電量が所定量Ｒａ未満に減少し、エンジン出力での走行（エンジン走行）に切り替わるようになると、切り替え部１６がオルタネータ３側の接点１６ｂに切り替えられて補機バッテリ７の充電手段がオルタネータ３に切り替えられる。
【００５０】
また、プーリー・ベルト４が接続側に移動し、補機バッテリ７の充電に対してエンジン２とオルタネータ３とを接続の状態に制御する。すなわち、上述したｔ３〜ｔ４、ｔ６〜ｔ７の減速の回生制動時に、エンジン２とオルタネータ３とを接続してオルタネータ３の発電出力で補機バッテリ７を充電する。
【００５１】
そのため、車両駆動用蓄電装置１０の蓄電量が所定量Ｒａ未満になると、車両駆動用蓄電装置１０の蓄電エネルギは補機バッテリ７の充電にも用いられず、車両駆動用蓄電装置１０は蓄電量のそれ以上の減少が確実に防止されて過放電の状態になることがない。しかも、補機バッテリ７はエンジン出力に基づくオルタネータ３の発電出力で問題なく充電される。
【００５２】
なお、補機バッテリ７の上記充電を行なうため、車両制御ＥＣＵ５は例えば図３のステップＡ１〜Ａ３の充電のループ制御を実行する。そして、ステップＡ１により車両駆動用蓄電装置１０の蓄電量が前記所定量以上か否かを判断し、車両駆動用蓄電装置１０の蓄電量が所定量Ｒａ以上であればステップＡ１からステップＡ２に移行し、車両駆動用蓄電装置１０の蓄電量が所定量Ｒａ未満であればステップＡ１からステップＡ３に移行することで、補機バッテリ７の上記充電の制御を行なう。
【００５３】
以上のように、本実施形態の場合、例えば１００Ｖの商用交流電源（外部電源）で充電される車両駆動用蓄電装置１０を優先して補機バッテリ７を車両駆動用蓄電装置１０およびオルタネータ３により充電するプラグイン・ハイブリッド方式のハイブリッド自動車１において、補機バッテリ７の蓄電量ではなく、車両駆動用蓄電装置１０の蓄電量を監視し、車両駆動用蓄電装置１０の蓄電量に応じて補機バッテリ７の充電手段を車両駆動用蓄電装置１０またはオルタネータ３に切り替え、車両駆動用蓄電装置１０の蓄電量が所定量に減少するまではオルタネータカットに制御して補機バッテリ７を車両駆動用蓄電装置１０で充電し、燃料節約効果を向上することができるとともに、車両駆動用蓄電装置１０の蓄電量が所定量に減少すると、補機バッテリ７をオルタネータ出力で充電し、車両駆動用蓄電装置１０の蓄電量がそれ以上は減らないようにして車両駆動用蓄電装置１０が過放電の状態にならないようにすることができる。
【００５４】
そして、車両駆動用蓄電装置１０の蓄電容量の設定等に基づき、例えば、日常の買い物や送り迎え等の近距離移動については、車両駆動用蓄電装置１０の蓄電量が所定量にならない限り、走行および補機バッテリ７の充電をモータ出力で賄い、全くオルタネータ３の駆動やエンジン走行を不要にすることが可能であり、モータ出力では不足する遠出をしたようなときにのみ不足分をエンジン出力で賄って走行することができ、燃費を向上することができる。
【００５５】
しかも、外部電源である安価な１００Ｖの商用交流電源で充電できる車両駆動用蓄電装置１０の蓄電エネルギを、車両走行の動力源および補機負荷８の電源に用いることができるので、エンジン２の駆動力を用いる機会を減らして燃料節約効果を極めて高くすることができるとともに、環境にやさしい構成にすることができる。
【００５６】
さらに、仮に補機バッテリ７の蓄電量を監視してオルタネータカットをするのでは、車両駆動用蓄電装置１０の蓄電量が余っているにもかかわらず、オルタネータ３が駆動される事態も生じるが、本実施形態の場合、車両駆動用蓄電装置１０の蓄電量に基づき、所定量Ｒａまで（換言すれば限界量まで）車両駆動用蓄電装置１０の蓄電エネルギを使うことができるため、安価な商用交流電源で充電できる車両駆動用蓄電装置１０の蓄電エネルギを余すことなく使用してオルタネータカットの時間を極力延ばすことができる。なお、車両駆動用蓄電装置１０の蓄電エネルギを極力有効利用すればよく、補機バッテリ７の充電に際してエンジン２の燃費等を考慮する必要がなく、その分制御が簡単になる等の利点もある。
【００５７】
ところで、本実施形態においては、図１からも明らかなように、切り替え部１６の切り替えに基づき、補機バッテリ７にオルタネータ３、車両駆動用蓄電装置１０が並列に接続される。この場合、何らかの原因で、例えば補機バッテリ７の端子接続が外れる事態が生じたとしても、オルタネータ３または車両駆動用蓄電装置１０から補機負荷８に給電が継続される利点がある。また、とくにオルタネータ３をエンジン２から切り離したときに、車両駆動用蓄電装置１０から補機負荷８に給電が継続されるため、オルタネータ３を機械的に切り離すことができ、オルタネータ３を電気的に切り離す場合より、車両駆動用蓄電装置１０の負荷を大幅に軽減することができる利点もある。
【００５８】
（他の実施形態）
つぎに、請求項２に対応する他の実施形態について図１および図４を参照して説明する。なお、図４は動作説明用のフローチャートである。
【００５９】
そして、本実施形態の構成を図１のハイブリッド自動車１で説明すると、一実施形態の場合と異なる点は、以下の（１）〜（３）の点である。
【００６０】
（１）本実施形態においては、図１の蓄電装置制御ＥＣＵ１２により、本発明の車両駆動側蓄電量監視手段を形成し、車両駆動用蓄電装置１０の電圧および電流を検出して車両駆動用蓄電装置１０の時々刻々の蓄電量を監視し、監視結果をＣＡＮ等の車載ＬＡＮを介して車両制御ＥＣＵ５に送る。
【００６１】
（２）車両制御ＥＣＵ５に補機バッテリ７の蓄電量を監視する補機側蓄電量監視手段を備え、この監視手段により、補機バッテリ７の電圧および電流を検出して補機バッテリ７の時々刻々の蓄電量を監視する。
【００６２】
（３）車両制御ＥＣＵ５が形成する本発明の制御手段により、前記両蓄電量監視手段の監視出力にしたがって、切り替え部１６の切り替えを制御するとともに、エンジン２とオルタネータ３とを接続または切り離しの状態に制御する。具体的には、（ｉ）車両駆動用蓄電装置１０の蓄電量が所定量Ｒａ以上の場合は、前記一実施形態の場合と同様に、切り替え部１６を車両駆動用蓄電装置１０側の接点１６ａに保持して補機バッテリ７の充電手段を車両駆動用蓄電装置１０に保持し、かつ、エンジン２とオルタネータ３とを切り離しの状態（オルタネータカット）に制御しする。（ｉｉ）車両駆動用蓄電装置１０の蓄電量が所定量Ｒａ未満に減少すれば、前記一実施形態の場合と同様に、切り替え部１６をオルタネータ３側の接点１６ｂに切り替えて補機バッテリ７の充電手段をオルタネータ３に切り替えるが、オルタネータカットからの復帰については、車両駆動用蓄電装置１０で充電された補機バッテリ７の蓄電エネルギを有効利用してエンジン２の燃料消費を極力少なくするため、前記補機側蓄電量監視手段の監視に基づき、補機バッテリ７の蓄電量が所定量Ｒｂ（車両駆動用蓄電装置１０の所定量Ｒａとは異なる）以下になってから補機バッテリ７の充電に対してエンジン２とオルタネータ３とを接続した状態に制御する。
【００６３】
そして、車両制御ＥＣＵ５は例えば図４のステップＢ１〜Ｂ５の充電のループ制御を実行し、ステップＢ１により車両駆動用蓄電装置１０の蓄電量が所定量Ｒａ以上か否かを判断し、車両駆動用蓄電装置１０の蓄電量が所定量Ｒａ以上であればステップＢ１からステップＢ２に移行し、オルタネータカットの状態で車両駆動用蓄電装置１０の蓄電エネルギによって補機バッテリ７を充電し、車両駆動用蓄電装置１０の蓄電量が所定量Ｒａ未満に減少するとステップＢ１からステップＢ３に移行し、切り替え部１６をオルタネータ側の接点１６ｂに切り替え、その後、ステップＢ４により補機バッテリ７の蓄電量が適当な所定量Ｒｂに減少するのをオルタネータカットの状態で待ち、補機バッテリ７の蓄電量が所定量Ｒｂに減少すると、ステップＢ５に移行してオルタネータカットの状態から復帰し、回生制動時等にエンジン２とオルタネータ３との接続により、オルタネータ出力で補機バッテリ７を充電する。
【００６４】
したがって、本実施形態の場合は、車両駆動用蓄電装置１０の蓄電量が所定量Ｒａ未満に減少したときに、直ちにオルタネータカットの状態から復帰してオルタネータ出力で補機バッテリ７の充電を可能にするのではなく、それまでに車両駆動用蓄電装置１０の蓄電エネルギで満充電状態に充電されている補機バッテリ７の蓄電量が補機負荷８で消費されて充電が必要な所定量Ｒｂに減少した後、オルタネータカットの状態から復帰してオルタネータ出力で補機バッテリ７の充電を可能にするため、エンジン２の燃料消費が一層少なくなり、一実施形態の場合より一層燃料節約効果を高くして一実施形態の場合と同様の効果を奏することができる。
【００６５】
そして、本発明は上記した実施形態に限定されるものではなく、その趣旨を逸脱しない限りにおいて上述したもの以外に種々の変更を行なうことが可能である。
【００６６】
例えば、外部電源は１００Ｖ以外の商用交流電源や専用の交流電源さらには直流電源であってもよい。
【００６７】
また、図１の各部の構成等はどのようであってもよい。
【００６８】
そして、本発明は、プラグイン・ハイブリッド方式のハイブリッド自動車以外の種々の方式のハイブリッド自動車にも適用することができる。
【図面の簡単な説明】
【００６９】
【図１】本発明の一実施形態のハイブリッド自動車の要部のブロック図である。
【図２】図１のハイブリッド自動車の走行状態と補機バッテリの充放電との関係の説明図である。
【図３】図１のハイブリッド自動車の動作説明用のフローチャートである。
【図４】本発明の他の実施形態のハイブリッド自動車の動作説明用のフローチャートである。
【符号の説明】
【００７０】
１    ハイブリッド自動車
２    エンジン
３    オルタネータ
５    車両制御ＥＣＵ
６    エンジン制御ＥＣＵ
７    補機バッテリ
９    モータ
１０    車両駆動用蓄電装置
１２    蓄電装置制御ＥＣＵ
１６    切り替え部
【図１】
2008302852.tif 000003
【図２】
2008302852.tif 000004
【図３】
2008302852.tif 000005
【図４】
2008302852.tif 000006